(57)【要約】【課題】  プリント注文の受付に要する時間を短縮する。【解決手段】  プリント注文受付装置の画像情報記憶部には、複数の画像情報及びそれらの順序が記憶されている。そして、メディアドライブによって読み出された複数の画像データファイルの中から、各画像情報に適合した画像に係る画像データファイルが抽出され、各画像情報に適合した画像データファイルに係る画像を含む注文画面が、画像情報記憶部に記憶された画像情報の順序にしたがってディスプレイに表示される。顧客は、タッチパネルを操作することによって、画像情報記憶部に記憶された複数の画像情報及びそれらの順序を変更することができる。【選択図】図２１
2006301833.tif 000002
【特許請求の範囲】
【請求項１】
写真プリントの注文を受け付けるプリント注文受付装置において、
記録媒体に記録された複数の画像データファイルを読み出すための読み出し部と、
ディスプレイと、
前記ディスプレイへ表示される画像の内容に関する複数の画像情報及びそれらの順序を記憶する画像情報記憶手段と、
前記画像情報記憶手段によって記憶された複数の画像情報及びそれらの順序の少なくとも一方を変更する変更手段と、
前記読み出し部によって読み出された複数の前記画像データファイルの中から、前記変更手段による変更後に前記画像情報記憶手段によって記憶された複数の画像情報に含まれる各画像情報に適合した画像データファイルを抽出する抽出手段と、
前記読み出し部によって読み出された複数の前記画像データファイルに係る複数の画像のうち、前記抽出手段が各画像情報に基づいて抽出した画像データファイルに係る画像を含む注文画面を前記ディスプレイに表示させる注文画面表示制御手段とを備えており、
前記注文画面表示制御手段が、前記抽出手段が各画像情報に基づいて抽出した画像データファイルに係る画像を含む注文画面を、前記変更手段による変更後に前記画像情報記憶手段によって記憶された複数の画像情報の順序にしたがって前記ディスプレイに表示させることを特徴とするプリント注文受付装置。
【請求項２】
前記変更手段が、前記画像情報記憶手段によって記憶された複数の画像情報のなかの１つの画像情報を指定する指定手段を備えており、
前記注文画面表示制御手段は、前記指定手段によって指定された１つの画像情報に適合した画像データファイルに係る画像を含む注文画面を前記ディスプレイに表示させた後で、前記抽出手段が前記１つの画像情報以外の各画像情報に基づいて抽出した画像データファイルに係る画像を含む注文画面を、前記変更手段による変更後に前記画像情報記憶手段によって記憶された複数の画像情報の順序にしたがって前記ディスプレイに表示させることを特徴とする請求項１に記載のプリント注文受付装置。
【請求項３】
前記変更手段が、前記画像情報記憶手段によって記憶された複数の画像情報のなかの少なくとも２つの画像情報及びそれらの順序を指定する指定手段を備えており、
前記注文画面表示制御手段は、前記指定手段によって指定された前記少なくとも２つの画像情報に含まれる各画像情報に適合した画像データファイルに係る画像を含む注文画面を、前記指定手段によって指定された前記少なくとも２つの画像情報の順序にしたがって前記ディスプレイに表示させた後で、前記抽出手段が前記少なくとも２つの画像情報以外の各画像情報に基づいて抽出した画像データファイルに係る画像を含む注文画面を、前記変更手段による変更後に前記画像情報記憶手段によって記憶された複数の画像情報の順序にしたがって前記ディスプレイに表示させることを特徴とする請求項１に記載のプリント注文受付装置。
【請求項４】
前記変更手段が、前記画像情報記憶手段によって記憶された複数の画像情報のなかの少なくとも２つの画像情報及びそれらの順序を指定する指定手段を備えており、
前記注文画面表示制御手段は、前記指定手段によって指定された前記少なくとも２つの画像情報に含まれる各画像情報に適合した画像データファイルに係る画像を含む注文画面だけを、前記指定手段によって指定された前記少なくとも２つの画像情報の順序にしたがって前記ディスプレイに表示させることを特徴とする請求項１に記載のプリント注文受付装置。
【請求項５】
前記変更手段が、前記画像情報記憶手段によって記憶された複数の画像情報のなかの少なくとも２つの画像情報を指定する指定手段を備えており、
前記注文画面表示制御手段は、前記指定手段によって指定された前記少なくとも２つの画像情報に含まれる各画像情報に適合した画像データファイルに係る画像を含む注文画面だけを、前記変更手段による変更後に前記画像情報記憶手段によって記憶された複数の画像情報の順序にしたがって前記ディスプレイに表示させることを特徴とする請求項１に記載のプリント注文受付装置。
【請求項６】
前記変更手段が、前記画像情報記憶手段に対して１つの画像情報を追加する追加手段を備えており、
前記注文画面表示制御手段は、前記追加手段によって追加された前記１つの画像情報に適合した画像データファイルに係る画像を含む注文画面を前記ディスプレイに表示させた後で、前記抽出手段が前記１つの画像情報以外の各画像情報に基づいて抽出した画像データファイルに係る画像を含む注文画面を、前記変更手段による変更後に前記画像情報記憶手段によって記憶された複数の画像情報の順序にしたがって前記ディスプレイに表示させることを特徴とする請求項１に記載のプリント注文受付装置。
【請求項７】
前記変更手段が、前記画像情報記憶手段に対して少なくとも２つの画像情報及びそれらの順序を追加する追加手段を備えており、
前記注文画面表示制御手段は、前記追加手段によって追加された前記少なくとも２つの画像情報に含まれる各画像情報に適合した画像データファイルに係る画像を含む注文画面を、前記追加手段によって追加された前記少なくとも２つの画像情報の順序にしたがって前記ディスプレイに表示させた後で、前記抽出手段が前記画像情報記憶手段によって記憶された各画像情報に基づいて抽出した画像データファイルに係る画像を含む注文画面を、前記変更手段による変更後に前記画像情報記憶手段によって記憶された複数の画像情報の順序にしたがって前記ディスプレイに表示させることを特徴とする請求項１に記載のプリント注文受付装置。
【請求項８】
前記変更手段が、前記画像情報記憶手段に対して少なくとも２つの画像情報及びそれらの順序を追加する追加手段を備えており、
前記注文画面表示制御手段は、前記追加手段によって追加された前記少なくとも２つの画像情報に含まれる各画像情報に適合した画像データファイルに係る画像を含む注文画面だけを、前記追加手段によって追加された前記少なくとも２つの画像情報の順序にしたがって前記ディスプレイに表示させることを特徴とする請求項１に記載のプリント注文受付装置。
【請求項９】
前記読み出し部によって読み出された複数の前記画像データファイルに対して画像認識処理を行う画像認識手段をさらに備えており、
前記抽出手段が、前記画像認識手段によって行われた画像認識処理の結果を用いて、各画像情報に適合した画像データファイルを抽出することを特徴とする請求項１〜８のいずれか１項に記載のプリント注文受付装置。
【請求項１０】
前記読み出し部によって読み出された画像データファイルに係る画像の内容に関するパラメータを前記記録媒体又は当該画像データファイルから取得するパラメータ取得手段をさらに備えており、
前記抽出手段が、前記パラメータ取得手段が取得したパラメータを用いて、各画像情報に適合した画像データファイルを抽出することを特徴とする請求項１〜８のいずれか１項に記載のプリント注文受付装置。
【発明の詳細な説明】
【技術分野】
【０００１】
本発明は、顧客から写真プリントの注文を受け付けるプリント注文受付装置に関するものである。
【背景技術】
【０００２】
近年のデジタルカメラの普及に伴い、デジタルカメラで撮影された画像データを、従来からの写真処理装置を用いて銀塩印画紙等に対して高い品質でプリントする要望が高まっている。従って、写真店には、複数のデジタル画像受付装置と写真プリント装置とを備えたデジタル画像処理システムが設置されることが一般的になってきている（例えば、特許文献１参照）。このシステムでは、顧客によってデジタルカメラで撮影された画像データが保存されたメディアがセットされ、プリント枚数などの種々の指定を含むプリント注文が行われると、その注文に対応したプリント処理が写真処理装置で行われる。そして、写真店では、完成した写真プリントが顧客に手渡されると共に、プリント代金の精算が行われる。
【０００３】
ここで、顧客は、受付装置のタッチパネル方式のディスプレイに表示された注文画面を見ながら、各画像のプリント枚数などの指定を行う。そして、多数の画像データがメディアに保存されている場合には、それらを一度に注文画面に表示することができないので、所定数（例えば８コマ）の画像毎に表示されることが多い。従って、顧客は、所定数の画像の各プリント枚数を指定を行い、その指定が終了する度に、次の所定数の画像が表示される画面に切り換えて、これらの画像の各プリント枚数の指定を行う。
【特許文献１】特開２００３−７５９３０号公報（図１）
【発明の開示】
【発明が解決しようとする課題】
【０００４】
ここで、１つの写真店には数台の受付装置が設置されていることが多いが、この写真店に多くの顧客がプリント注文を行うために訪れた場合には、これらの顧客は同時に受付装置を利用することができないので、顧客は自分の順番が来るのを待つ必要がある。このとき、受付装置を利用する顧客は、上述したように、ディスプレイに表示された注文画面を見ながら注文を行うが、多数の画像に関する注文が行われる場合には、１人の顧客が注文が完了するまでに長時間を要する場合がある。特に、メディアから読み出された画像が非常に多い場合には、顧客が注文を希望する画像を見つけ出すのに時間がかかってしまう。このような場合には、顧客は自分の順番が来るまで長時間待たなければならなくなる。特に、受付装置を利用している顧客の注文に要する時間は、待っている顧客からは全く分からないので、受付装置が空くのを待つ顧客は非常に大きなストレスを感じることになる。
【０００５】
ところで、顧客が非常に多くの画像の中から注文を希望する画像を見つけ出すためには、顧客の指定した条件に該当する画像を含む注文画面から順にディスプレイに表示されるのが好ましい。つまり、例えば顧客が被写体として人を含む画像の注文を希望している場合には、人が撮影された画像を含む注文画面を優先してディスプレイに表示する方が注文を短時間で完了することができる。
【０００６】
そこで、本発明の主な目的は、プリント注文の受付に要する時間を短縮することができるプリント注文受付装置を提供することである。
【課題を解決するための手段および発明の効果】
【０００７】
本発明のプリント注文受付装置は、写真プリントの注文を受け付けるプリント注文受付装置において、記録媒体に記録された複数の画像データファイルを読み出すための読み出し部と、ディスプレイと、前記ディスプレイへ表示される画像の内容に関する複数の画像情報及びそれらの順序を記憶する画像情報記憶手段と、前記画像情報記憶手段によって記憶された複数の画像情報及びそれらの順序の少なくとも一方を変更する変更手段と、前記読み出し部によって読み出された複数の前記画像データファイルの中から、前記変更手段による変更後に前記画像情報記憶手段によって記憶された複数の画像情報に含まれる各画像情報に適合した画像データファイルを抽出する抽出手段と、前記読み出し部によって読み出された複数の前記画像データファイルに係る複数の画像のうち、前記抽出手段が各画像情報に基づいて抽出した画像データファイルに係る画像を含む注文画面を前記ディスプレイに表示させる注文画面表示制御手段とを備えており、前記注文画面表示制御手段が、前記抽出手段が各画像情報に基づいて抽出した画像データファイルに係る画像を含む注文画面を、前記変更手段による変更後に前記画像情報記憶手段によって記憶された複数の画像情報の順序にしたがって前記ディスプレイに表示させるものである。
【０００８】
ここで、「画像の内容に関する画像情報」とは、読み出し部によって読み出された複数の画像データファイルから１または複数の画像データファイルを抽出する際に用いることができる画像情報であれば、どのようなものであってもよい。従って、上記画像情報は、例えば画像に含まれる被写体の種類または被写体割合であってもよいし、画像の撮影条件であってもよい。
【０００９】
これらの構成によると、記録媒体から読み出された複数の画像データファイルの中から、変更手段での変更後に画像情報記憶手段によって記憶された複数の画像情報に含まれる各画像情報に適合した画像に係る画像データファイルが抽出される。そして、各画像情報に適合した画像データファイルに係る画像を含む注文画面が、変更手段での変更後に画像情報記憶手段によって記憶された複数の画像情報の順序にしたがってディスプレイに表示される。そのため、顧客は、画像情報記憶手段によって記憶された複数の画像情報及びそれらの順序を変更することによって、優先順位の高い画像情報に適合した画像から優先順位の低い画像情報に適合した画像の順に、注文情報を入力することができる。従って、顧客は、各画像情報に適合した画像データファイルに係る画像を含む注文画面に対する注文情報の入力を短時間で行うことができる。そのため、プリント注文の受付に要する時間を短縮することができ、一人の顧客が受付装置を占有する時間が短くなる。また、受付装置の時間効率を向上させることができる。
【００１０】
本発明のプリント注文受付装置において、前記変更手段が、前記画像情報記憶手段によって記憶された複数の画像情報のなかの１つの画像情報を指定する指定手段を備えており、前記注文画面表示制御手段は、前記指定手段によって指定された１つの画像情報に適合した画像データファイルに係る画像を含む注文画面を前記ディスプレイに表示させた後で、前記抽出手段が前記１つの画像情報以外の各画像情報に基づいて抽出した画像データファイルに係る画像を含む注文画面を、前記変更手段による変更後に前記画像情報記憶手段によって記憶された複数の画像情報の順序にしたがって前記ディスプレイに表示させてもよい。
【００１１】
本発明のプリント注文受付装置において、前記変更手段が、前記画像情報記憶手段によって記憶された複数の画像情報のなかの少なくとも２つの画像情報及びそれらの順序を指定する指定手段を備えており、前記注文画面表示制御手段は、前記指定手段によって指定された前記少なくとも２つの画像情報に含まれる各画像情報に適合した画像データファイルに係る画像を含む注文画面を、前記指定手段によって指定された前記少なくとも２つの画像情報の順序にしたがって前記ディスプレイに表示させた後で、前記抽出手段が前記少なくとも２つの画像情報以外の各画像情報に基づいて抽出した画像データファイルに係る画像を含む注文画面を、前記変更手段による変更後に前記画像情報記憶手段によって記憶された複数の画像情報の順序にしたがって前記ディスプレイに表示させてもよい。
【００１２】
この構成によると、画像情報記憶手段によって記憶された複数の画像情報のなかで指定された各画像情報に適合した画像データファイルに係る画像を含む注文画面が、指定されていない各画像情報に適合した画像データファイルに係る画像を含む注文画面よりも優先して表示される。そのため、顧客は注文を希望する画像の内容に関する１または複数の画像情報を指定することによって、注文を希望する画像を短時間で見つけ出すことができる。従って、プリント注文の受付に要する時間を短縮することができる。
【００１３】
本発明のプリント注文受付装置において、前記変更手段が、前記画像情報記憶手段によって記憶された複数の画像情報のなかの少なくとも２つの画像情報及びそれらの順序を指定する指定手段を備えており、前記注文画面表示制御手段は、前記指定手段によって指定された前記少なくとも２つの画像情報に含まれる各画像情報に適合した画像データファイルに係る画像を含む注文画面だけを、前記指定手段によって指定された前記少なくとも２つの画像情報の順序にしたがって前記ディスプレイに表示させてもよい。
【００１４】
この構成によると、顧客は画像情報記憶手段によって記憶された複数の画像情報のなかの複数の画像情報及びそれらの順序を指定することによって、記録媒体から読み出された複数の画像データファイルに係る画像の中で、注文情報の入力を希望する一部の画像を含む注文画面だけを、指定した画像情報の順に表示させることができる。そのため、顧客は、希望する画像情報に適合した画像を含む注文画面だけを確認するだけで注文情報の入力を完了することができる。つまり、顧客が希望する画像情報に適合しない画像を含む注文画面はディスプレイへ表示されなくなるので、顧客が確認しなければならない注文画面の数を低減することができる。そのため、プリント注文の受付に要する時間をより短縮することができる。
【００１５】
本発明のプリント注文受付装置において、前記変更手段が、前記画像情報記憶手段によって記憶された複数の画像情報のなかの少なくとも２つの画像情報を指定する指定手段を備えており、前記注文画面表示制御手段は、前記指定手段によって指定された前記少なくとも２つの画像情報に含まれる各画像情報に適合した画像データファイルに係る画像を含む注文画面だけを、前記変更手段による変更後に前記画像情報記憶手段によって記憶された複数の画像情報の順序にしたがって前記ディスプレイに表示させてもよい。
【００１６】
この構成によると、顧客は画像情報記憶手段によって記憶された複数の画像情報のなかの複数の画像情報を指定することによって、記録媒体から読み出された複数の画像データファイルに係る画像の中で、注文情報の入力を希望する一部の画像を含む注文画面だけを、画像情報記憶手段によって記憶された複数の画像情報の順に表示させることができる。そのため、顧客は、希望する画像情報に適合した画像を含む注文画面だけを確認するだけで注文情報の入力を完了することができる。つまり、顧客が希望する画像情報に適合しない画像を含む注文画面はディスプレイへ表示されなくなるので、顧客が確認しなければならない注文画面の数を低減することができる。そのため、プリント注文の受付に要する時間をより短縮することができる。
【００１７】
本発明のプリント注文受付装置において、前記変更手段が、前記画像情報記憶手段に対して１つの画像情報を追加する追加手段を備えており、前記注文画面表示制御手段は、前記追加手段によって追加された前記１つの画像情報に適合した画像データファイルに係る画像を含む注文画面を前記ディスプレイに表示させた後で、前記抽出手段が前記１つの画像情報以外の各画像情報に基づいて抽出した画像データファイルに係る画像を含む注文画面を、前記変更手段による変更後に前記画像情報記憶手段によって記憶された複数の画像情報の順序にしたがって前記ディスプレイに表示させてもよい。
【００１８】
本発明のプリント注文受付装置において、前記変更手段が、前記画像情報記憶手段に対して少なくとも２つの画像情報及びそれらの順序を追加する追加手段を備えており、前記注文画面表示制御手段は、前記追加手段によって追加された前記少なくとも２つの画像情報に含まれる各画像情報に適合した画像データファイルに係る画像を含む注文画面を、前記追加手段によって追加された前記少なくとも２つの画像情報の順序にしたがって前記ディスプレイに表示させた後で、前記抽出手段が前記画像情報記憶手段によって記憶された各画像情報に基づいて抽出した画像データファイルに係る画像を含む注文画面を、前記変更手段による変更後に前記画像情報記憶手段によって記憶された複数の画像情報の順序にしたがって前記ディスプレイに表示させてもよい。
【００１９】
この構成によると、追加手段によって追加された各画像情報に適合した画像データファイルに係る画像を含む注文画面が、画像情報記憶手段によって記憶された各画像情報に適合した画像データファイルに係る画像を含む注文画面よりも優先して表示される。そのため、顧客は注文を希望する画像の内容に関する１または複数の画像情報を追加することによって、注文を希望する画像を短時間で見つけ出すことができる。従って、プリント注文の受付に要する時間を短縮することができる。
【００２０】
本発明のプリント注文受付装置において、前記変更手段が、前記画像情報記憶手段に対して少なくとも２つの画像情報及びそれらの順序を追加する追加手段を備えており、前記注文画面表示制御手段は、前記追加手段によって追加された前記少なくとも２つの画像情報に含まれる各画像情報に適合した画像データファイルに係る画像を含む注文画面だけを、前記追加手段によって追加された前記少なくとも２つの画像情報の順序にしたがって前記ディスプレイに表示させてもよい。
【００２１】
この構成によると、顧客は画像情報記憶手段に対して複数の画像情報及びそれらの順序を追加することによって、記録媒体から読み出された複数の画像データファイルに係る画像の中で、注文情報の入力を希望する一部の画像を含む注文画面だけを、追加した画像情報の順に表示させることができる。そのため、顧客は、希望する画像情報に適合した画像を含む注文画面だけを確認するだけで注文情報の入力を完了することができる。つまり、顧客が希望する画像情報に適合しない画像を含む注文画面はディスプレイへ表示されなくなるので、顧客が確認しなければならない注文画面の数を低減することができる。そのため、プリント注文の受付に要する時間をより短縮することができる。
【００２２】
本発明のプリント注文受付装置において、前記読み出し部によって読み出された複数の前記画像データファイルに対して画像認識処理を行う画像認識手段をさらに備えており、前記抽出手段が、前記画像認識手段によって行われた画像認識処理の結果を用いて、各画像情報に適合した画像データファイルを抽出してもよい。
【００２３】
この構成によると、各画像情報に適合した画像データファイルが画像認識処理の結果を用いて抽出されるので、適正な画像データファイルを確実に抽出することができる。
【００２４】
本発明のプリント注文受付装置において、前記読み出し部によって読み出された画像データファイルに係る画像の内容に関するパラメータを前記記録媒体又は当該画像データファイルから取得するパラメータ取得手段をさらに備えており、前記抽出手段が、前記パラメータ取得手段が取得したパラメータを用いて、各画像情報に適合した画像データファイルを抽出してもよい。
【００２５】
この構成によると、各画像情報に適合した画像データファイルがその画像の内容に関するパラメータを用いて抽出されるので、適正な画像データファイルを容易に抽出することができる。
【発明を実施するための最良の形態】
【００２６】
以下、本発明の好適な実施の形態について、図面を参照しつつ説明する。図１は、本発明の第１の実施の形態に係るプリント注文受付装置を含むデジタル画像処理システムの外観斜視図である。図２は、図１に示すデジタル画像処理システムの構成を示す図である。
【００２７】
〔デジタル画像処理システム〕
図１に示すデジタル画像処理システムは、複数のプリント注文受付装置Ｒ（以下、受付装置Ｒと略称する）と、銀塩式の印画紙１に画像データのプリントを行うデジタル型の写真処理装置Ｐと、これらの間で情報のアクセスを行う通信ネットワークＮ（図２参照）とを備えている。
【００２８】
デジタル画像処理システムは、写真店に設置されるのが一般的であり、このシステムでは、デジタルカメラで撮影された画像データを保存したスマートメディアＳＭ、コンパクトフラッシュ（登録商標）ＣＦ、メモリースティックＭＳ、ＰＣカードＰＣ−Ｃや、画像データを保存したＣＤ−ＲＯＭ、ＭＯ等の記録媒体（以下、これらをメディアＭと総称する）からの画像データに基づくプリント注文を受付装置Ｒで受付けることができる。
【００２９】
また、このシステムでは、この受付時に発行される受付証ｒｅ（図１６参照）を顧客が図１に示すサービスカウンターＣで写真店の担当者に提示することにより、その担当者が受付証ｒｅにプリントされた情報に基づき、完成した写真プリントを受付証ｒｅを提示した顧客に対して代金と引き換えに手渡す処理が行われる。
【００３０】
〔写真処理装置Ｐ〕
まず、写真処理装置Ｐの構成について、図１及び図２を参照して説明する。写真処理装置Ｐは、テーブル上に配置されたオペレート部Ｐｏと現像処理部Ｐｄとが一体化された装置本体と、この装置本体から分離した位置のスキャナーユニットＰｓとを備えている。
【００３１】
オペレート部Ｐｏには、印画紙マガジン５からの印画紙１をプリントサイズに切断してデジタル型の露光ヘッド６に供給する露光系が内装されている。また、オペレート部Ｐｏは、ＣＤ−ＲＯＭまたはＤＶＤからの情報の読出し、及び、ＣＤ−Ｒに対する情報の書き込みを行うコンボドライブ１０と、スマートメディアＳＭ、コンパクトフラッシュ（登録商標）ＣＦ及びＭＯ等の各種メディアに対応した複数のマルチドライブ１１と、画像データや各種情報の表示を行うディスプレイ１２と、キーボード１３と、マウス１４と、マイクロプロセッサを有する制御部１５を備えている。
【００３２】
制御部１５は、汎用コンピュータを用いて構成されており、各種のソフトウエアの作動が可能になっている。制御部１５は、画像処理ソフトによって、スキャナユニットＰｓでデジタル信号化された画像データの補正や、必要な場合には画像データのトリミングを行い、この処理の結果を制御部１５の半導体メモリやハードディスクに保存し、印画紙１に対する画像データの露光時に露光ヘッド６に転送することができる。
【００３３】
また、現像処理部Ｐｄには、露光ヘッド６で露光された印画紙１の現像処理を行う現像処理槽７が内装されている。現像処理部Ｐｄでは、現像処理槽７で現像処理が行われた印画紙１が、乾燥された後で、現像処理部Ｐｄの上面の横送りコンベア８に送出される。そして、横送りコンベア８からの印画紙１が仕分けコンベア９に送出される。
【００３４】
スキャナーユニットＰｓは、底部にキャスタを備えた筐体１７の上面に対して交換自在にフィルムキャリア１８を備えると共に、筐体内部に光学レンズやＣＣＤ等の光電変換素子を有する光電変換部（図示しない）を備えている。また、筐体内部に備えた光源から光ファイバーを介して送られる光線をフィルムキャリア１８の上面側に導くアーム１９を備えている。
【００３５】
そして、写真フィルム２のスキャニングを行う場合には、ネガティブフィルムまたはポジティブフィルムをフィルムキャリア１８にセットし、このフィルムキャリア１８で設定速度で移動させながらアーム１９の先端から下方に向けて照射する光線により、写真フィルム２の各コマの画像データを光電変換部でデジタル信号化し、ケーブル２０を介して制御部１５に転送し得るよう構成されている。
【００３６】
〔受付装置Ｒ〕
次に、受付装置Ｒの構成を図３を参照して説明する。受付装置Ｒは、図３に示すように、筐体２１の上面に配置され且つタッチパネル２２が形成された液晶型のディスプレイ２３と、筐体２１の前面に設けられた媒体ドライブとしての複数のメディアドライブ２４と、筐体２１の上面におけるディスプレイ２３より前面側に設けられ且つ受付証ｒｅを発行する熱転写式の受付証プリンタ２５と、筐体２１の内部に内蔵されたコントローラ２６とを備えている。なお、複数のメディアドライブ２４は、スマートメディアＳＭ、コンパクトフラッシュ（登録商標）ＣＦ、メモリスティックＭＳ、メディアＭのアタッチメントとして機能するＰＣカードＰＣ−Ｃ、ＣＤ−ＲＯＭ、ＭＯ等のそれぞれに対応している。
【００３７】
コントローラ２６は、メディアドライブ２４との情報のアクセス及びタッチパネル２２との情報のアクセスが可能であると共に、ディスプレイ２３に対する画像データの出力及び受付証プリンタ２５に対する情報の出力が可能である。また、コントローラ２６は、作業領域が形成されるＲＡＭ型の半導体メモリや、プログラムやパラメータが保存されるＲＯＭ型の半導体メモリの総称としてのメモリ（図示しない）を備えると共に、ハードウエアまたはソフトウエア、あるいは、ハードウエアとソフトウエアとの組合わせによって、画像情報記憶部８１と、画像データ記憶部８２と、画像認識部８３と、画像内容記憶部８４と、抽出部８５と、制御部８６とが形成されている（図４参照）。
【００３８】
次に、受付装置Ｒのコントローラ２６の構成について、図４を参照して説明する。図４は、受付装置のコントローラの構成を示すブロック図である。なお、図４では、１台の受付装置Ｒだけが図示されているが、その他の受付装置Ｒにおいても同様である。
【００３９】
画像情報記憶部８１は、ディスプレイ２３に表示される画像の内容に関する複数の画像情報及びそれらの順序を記憶する。ここで、画像の内容に関する複数の画像情報とは、例えばメディアドライブ２４によって読み出された複数の画像データファイルの中から所定条件に適合した画像データファイルを抽出する際に用いられるキーワード等の役割を有する。また、複数の画像情報の順序とは、ディスプレイ２３に表示される画像の内容に関する優先順位に基づく順序を意味する。
【００４０】
本実施の形態では、後述するように、画像情報記憶部８１には、画像に含まれる被写体割合が記憶されている。ここで、被写体割合としては、８０％以上、６０〜８０％、４０〜６０％、２０〜４０％、０〜２０％の順に５個の被写体割合が記憶されている。
【００４１】
なお、画像情報記憶部８１に記憶されたディスプレイ２３に表示される画像の内容に関する複数の画像情報及びそれらの順序は、タッチパネル２２が操作されることによって変更される。つまり、タッチパネル２２が操作されることによって画像情報記憶部８１に記憶された複数の画像情報の中の１つの画像情報（被写体割合）が指定された場合には、その１つの画像情報（被写体割合）がそれ以外の画像情報（被写体割合）よりも優先される。また、タッチパネル２２が操作されることによって画像情報記憶部８１に記憶された複数の画像情報の中の少なくとも２つの画像情報（被写体割合）及びそれらの順序が指定された場合には、その指定された少なくとも２つの画像情報（被写体割合）がそれ以外の画像情報（被写体割合）よりも優先される。このとき、指定された少なくとも２つの画像情報（被写体割合）に関しては、指定された順序で優先される。
【００４２】
画像データ記憶部８２は、メディアドライブ２４によって読み出された複数の画像データファイルを記憶する。
【００４３】
画像認識部８３は、画像データ記憶部８２に記憶された画像データファイルに対して画像認識処理を行う。従って、画像認識部８３では、各画像データファイルに係る画像の内容を認識することができる。本実施の形態では、画像の被写体割合を認識可能である。
【００４４】
画像内容記憶部８４は、画像データ記憶部８２に記憶された画像データファイルに係る画像の内容を画像データファイル毎に記憶する。本実施の形態では、画像内容記憶部８４は、画像認識部８３で認識された各画像の被写体割合を画像データファイル毎に記憶している。
【００４５】
抽出部８５は、画像データ記憶部８２に記憶された複数の画像データファイルの中から、画像内容記憶部８４に記憶された画像データファイル毎の画像の内容に基づいて、画像情報記憶部８１に記憶された各画像情報に適合した画像データファイルを抽出する。つまり、本実施の形態では、例えば「８０％以上」の被写体割合に適合した画像データファイルとは、画像認識部８３で、被写体の割合が８０％以上の画像と認識された画像に係る画像データファイルを意味する。
【００４６】
ここで、抽出部８５は、各画像情報に適合した画像データファイルを抽出する場合には、画像データ記憶部８２に記憶された複数の画像データファイルから、その画像情報よりも優先順位が上の画像情報に適合した画像データファイルを除いた画像データファイルの中から抽出する。
【００４７】
つまり、抽出部８５は、優先順位が最も上の画像情報に適合した画像データファイルを抽出する場合には、画像データ記憶部８２に記憶された複数の画像データファイルの全ての中から、その画像情報に適合した画像データファイルを抽出する。
【００４８】
また、抽出部８５は、優先順位が２番目の画像情報に適合した画像データファイルを抽出する場合には、画像データ記憶部８２に記憶された複数の画像データファイルの全てから、優先順位が最も上の画像情報に適合した画像データファイルを除いた画像データファイルの中から、その画像情報に適合した画像データファイルを抽出する。
【００４９】
また、抽出部８５は、優先順位が３番目の画像情報に適合した画像データファイルを抽出する場合には、画像データ記憶部８２に記憶された複数の画像データファイルの全てから、優先順位が最も上の画像情報に適合した画像データファイル及び優先順位が２番目の画像情報に適合した画像データファイルを除いた画像データファイルの中から、その画像情報に適合した画像データファイルを抽出する。
【００５０】
なお、抽出部８５が、優先順位が４番目以降の画像情報に適合した画像データファイルを抽出する場合も上述と同様である。
【００５１】
制御部８６は、ディスプレイ２３における表示を制御し、プリント注文が行われる際に種々の画面をディスプレイ２３に表示させる。ここで、「プリント枚数設定画面」を表示する場合には、制御部８６は、抽出部８５が各画像情報に基づいて抽出した画像データファイルに係る画像を含む複数の「プリント枚数設定画面」を、画像情報記憶部８１に記憶された複数の画像情報の順序にしたがってディスプレイ２３に表示させる。
【００５２】
また、制御部８６は、画像情報記憶部８１に記憶された複数の画像情報の中のいくつかの画像情報が指定された場合には、指定された画像情報に基づいて抽出された画像データファイルに係る画像を含む複数の「プリント枚数設定画面」を表示した後で、その画像情報以外の画像情報に基づいて抽出された画像データファイルに係る画像を含む複数の「プリント枚数設定画面」を表示することが可能であると共に、指定された画像情報に基づいて抽出された画像データファイルに係る画像を含む複数の「プリント枚数設定画面」だけを表示することも可能である。
【００５３】
〔受付装置Ｒでの注文受付〕
次に、受付装置Ｒにおけるプリント注文の受付の手順について、図５〜図１６を参照して説明する。図５は、受付装置におけるプリント注文の受付の手順を示すフローチャートである。図６〜図１５は、注文受付の際に受付装置のディスプレイに表示される表示画面の一例を示す図である。図１６は、受付証の一例を示す図である。
【００５４】
受付装置Ｒでは、待機状態においては、図６に示すように、受付装置Ｒの機能や写真店のロゴマーク等を含む待機画面（初期画面）が表示される（ステップＳ１）。そして、顧客が画像のプリントの注文を行う場合には、ディスプレイ２３のタッチパネル２２に指を接触させることにより、図７に示す「サービス選択画面」が表示される（ステップＳ２）。この画面には、「サービスを選択してください」とのメッセージと共に、プリントの受付を行わせるプリント受付スイッチ部４５ａと、メディア保存の受付を行わせるメディア保存受付スイッチ部４５ｂとが表示され、顧客に選択を求める。なお、メディア保存受付スイッチ部４５ｂが操作された場合には、メディアＭに保存された画像データを、写真処理装置Ｐに転送して、写真処理装置ＰにおいてＣＤ−ＲやＭＯに保存する処理が行われるが、プリントを受付ける処理と基本的に同じ処理形態であるので、詳細な説明は省略する。
【００５５】
「サービス選択画面」が表示された状態で、プリント受付スイッチ部４５ａが操作された場合には、図８に示す「メディア選択画面」が表示される（ステップＳ３）。この「メディア選択画面」には、「メディアを選択してください」とのメッセージと共に、メディアを選択する複数のスイッチ部４７が表示され、顧客に選択を求める。この「サービス選択画面」の下側には処理を中止する中止ボタン４８と、前の処理に戻る戻るボタン４９とが表示され、これら中止ボタン４８と戻るボタン４９とは、後述する処理においても同じ位置に表示され、操作することにより同様に機能する。
【００５６】
そして、「メディア選択画面」が表示された状態で、顧客が使用するメディアに対応するスイッチ部４７が操作された場合には、図９に示す「メディアセット案内画面」が表示される（ステップＳ４）。この画面には、「メディアをセットしてＯＫボタンを押してください」とのメッセージと共に、対応するメディアをセットする際の具体的な画像が表示される。
【００５７】
「メディアセット案内画面」にしたがってメディアＭがセットされ、顧客がＯＫボタン５０を操作することで、セットされたメディアＭから画像データを読出した後（ステップＳ５）、図１０に示す「プリントサイズ選択画面」が表示される（ステップＳ６）。この画面には、「プリントサイズを選択してください」とのメッセージと共に、複数のプリントサイズに対応したサイズ指定スイッチ部５１が表示され、顧客に選択を求める。「プリントサイズ選択画面」のサイズ指定スイッチ部５１には、プリントサイズを示す「Ｌ版」や「２Ｌ版」の文字の他に、プリントサイズを示す数値、プリントの単価及びプリントの基本料金などが表示される。
【００５８】
そして、「プリントサイズ選択画面」が表示された状態で、いずれか１つのサイズ指定スイッチ部５１が操作された場合には、図１１に示す「表示順序選択画面」が表示される（ステップＳ７）。この画面には、「画像の表示順序を選択してください」とのメッセージと共に、各表示順序に対応した順序指定スイッチ部５２が表示される。本実施の形態では、選択可能な表示順序としては、撮影順、優先順（手動）、優先順（自動）の３つがある。
【００５９】
そして、「表示順序選択画面」が表示された状態で、いずれか１つの順序指定スイッチ部５２が操作された場合には、図１２に示す注文画面である「プリント枚数設定画面」が表示される（ステップＳ８）。この画面には、「プリント枚数を設定してください」とのメッセージと共に、メディアドライブ２４によって読み出された複数の画像データファイルに係る画像がサムネイル画像Ｓとして表示される。
【００６０】
ここで、「表示順序選択画面」で撮影順が選択された場合には、画像データ記憶部８２に記憶された画像データファイルに係る画像が、撮影された順に（ファイル番号の小さい方から順に）、サムネイル画像Ｓとして表示された「プリント枚数設定画面」が表示される。
【００６１】
また、「表示順序選択画面」で優先順（手動）または優先順（自動）が選択された場合には、画像データ記憶部８２に記憶された画像データファイルに係る画像が、画像情報記憶部８１に記憶された複数の画像情報の順序にしたがって、各画像情報に適合した画像から順に、サムネイル画像Ｓとして表示された「プリント枚数設定画面」が表示される。なお、「表示順序選択画面」で優先順（手動）または優先順（自動）が選択された場合の「プリント枚数設定画面」の表示手順については後で詳述する。
【００６２】
注文画面である「プリント枚数設定画面」では、各サムネイル画像Ｓのフレーム５４の上段に画像データを特定するファイルの名称（ファイル番号）が表示され、フレーム５４の下段にはプリント枚数を示す数値を表示する枚数表示エリア５５が設けられている。また、このプリント枚数表示エリア５５を挟む位置にプリント枚数を１枚ずつ増加させる＋ボタン５６と、プリント枚数を１枚ずつ減少させる−ボタン５６とが表示されている。
【００６３】
また、この画面下端部近傍には、中止ボタン４８と、戻るボタン４９と、ＯＫボタン５０（複数の「プリント枚数設定画面」が表示される場合には、最終画面以外にはＯＫボタンの代わりに次へボタン５０が表示される）と、全てのプリント枚数を１枚ずつ増加させる全体＋ボタン５７と、全てのプリント枚数を１枚ずつ減少させる全体−ボタン５７とが表示されると共に、その中央位置に情報エリアＤＥが表示される。情報エリアＤＥには、選択されたプリントサイズの情報、設定されたプリントの合計枚数、プリントに要する合計金額、ページを示す数字が表示される。
【００６４】
「プリント枚数設定画面」が表示された状態で、全てのプリントすべき画像データの選択が終了し、ＯＫボタン５０が操作されると、図１３に示す「注文内容確認画面」が表示される（ステップＳ９）。この画面には「注文の内容を確認してください」とのメッセージと共に、顧客が受付装置Ｒから入力したプリントの詳細と金額とを一覧化した確認シート６５が表示される。そして、この表示内容に誤りがなければＯＫボタン５０を操作することで、オーダ情報と画像データとにＩＤ情報を付与した形態のフォルダが新たに生成され、これらの情報が写真処理装置Ｐに送信される。
【００６５】
「注文内容確認画面」が表示された状態で、ＯＫボタン５０が操作されると、図１４に示す「メディア抜取り案内画面」が表示される（ステップＳ１０）。この画面には「メディアを抜取ってください」とのメッセージが表示され、この表示にしたがいメディアを抜取り、ＯＫボタン５０を操作することで、図１５に示す「受付証発行案内画面」が表示される（ステップＳ１１）。この画面には「受付証を発行中です、しばらくお待ちください」及び「受付証はカウンタに持参してください」のメッセージが表示され、所定の時間が経過すると受付証プリンタ２５で受付証ｒｅがプリントされて送出される（ステップＳ１２）。このように受付証ｒｅが発行されると、受付処理の全てが終了して待機画面に復帰する。
【００６６】
受付証ｒｅは、図１６に示すように、受付証本体と、お客様控えとが連なった形態となっており、お客様名、電話番号、受付ＩＤ、端末ＩＤ、受付日、注文番号等の他に注文の詳細を示す内容がプリントされている。なお、即日に写真のプリントを手渡せない場合には、受付証本体と、お客様控えとを切り離し、受付証本体をＤＰ店の控えとして残し、お客様控えを顧客に手渡す処理も可能にしている。
【００６７】
次に、「表示順序選択画面」で優先順（自動）が選択された場合の「プリント枚数設定画面」の表示手順について、図１７〜図２０を参照しつつ具体例に基づいて説明する。図１７は、「表示順序選択画面」で優先順（自動）が選択された場合の「プリント枚数設定画面」の表示手順を示すフローチャートである。図１８は、画像情報記憶部に記憶された複数の画像情報及びそれらの順序を模式的に示す図である。図１９は、複数の画像の被写体割合を示す図である。図２０は、受付装置のディスプレイに「プリント枚数設定画面」の表示手順を示す図である。ここでは、図１９に示すように、メディアドライブ２４により２０個の画像データファイルが読み出された場合を説明する。
【００６８】
まず、受付装置Ｒのディスプレイ２３に「表示順序選択画面」が表示されている（ステップＳ１０１）。ここで、顧客は、画像情報記憶部８１に記憶された画像情報及びそれらの順序にしたがって、「プリント枚数設定画面」を表示させるために、優先順（自動）に対応した順序指定スイッチ部５２を操作する（ステップＳ１０２）。
【００６９】
すると、優先順位を示す定数ｍが１に設定され（ステップＳ１０３）、優先順位が１番目の画像情報に適合した画像があるか否かが判断される（ステップＳ１０４）。ここで、優先順位が１番目の画像情報に適合した画像があると判断された場合には（Ｓ１０４：ＹＥＳ）、画像データ記憶部８２に記憶された画像データファイルの中から、優先順位が１番目の画像情報に適合した画像の画像データファイルが抽出される（ステップＳ１０５）。そして、優先順位が１番目の画像情報に適合した画像をサムネイル画像とする「プリント枚数設定画面」が表示される（ステップＳ１０６）。
【００７０】
その後、優先順位が１番目の画像情報に適合した画像が含まれる「プリント枚数設定画面」が表示された状態で、プリント枚数の設定が完了すると（ステップＳ１０７）、優先順位が１番目の画像情報が最後の画像情報であるか否か（それよりも優先順位が下の画像情報があるか否か）が判断される（ステップＳ１０８）。ここで、優先順位が１番目の画像情報が最後の画像情報でないと判断された場合には（Ｓ１０８：ＮＯ）、定数ｍが２に変更され（ステップＳ１０９）、ステップＳ１０４に戻り、上述と同様の処理が繰り返される。
【００７１】
つまり、優先順位が２番目の画像情報に適合した画像があるか否かが判断され、その画像がある場合には、画像データ記憶部８２に記憶された画像データファイルから優先順位が１番目の画像情報に適合した画像の画像データファイルを除いた画像データファイルの中から、優先順位が２番目の画像情報に適合した画像が抽出される。そして、優先順位が２番目の画像情報に適合した画像をサムネイル画像とする「プリント枚数設定画面」が表示される。
【００７２】
これと同様の処理が、優先順位が最も下の画像情報まで繰り返され、優先順位がｍ番目の画像情報が最後の画像情報であると判断された場合には（Ｓ１０８：ＹＥＳ）、プリント枚数の設定が完了するので、「注文内容確認画面」が表示される（ステップＳ１１０）。
【００７３】
本実施の例では、画像情報記憶部８１には、図１８に示すように、複数の被写体割合に関する情報及びそれらの順序が記憶されている。つまり、優先順位が最も上の被写体割合が「８０％以上」であり、２番目が「６０％〜８０％」であり、３番目が「４０％〜６０％」であり、４番目が「２０％〜４０％」であり、５番目が「０％〜２０％」である。
【００７４】
また、画像認識部８３では、メディアドライブ２４により２０個の画像データファイルに対する画像認識処理が行われ、その画像認識結果に基づいて、画像内容記憶部８４には、各画像データファイルに係る画像に含まれる被写体割合が記憶されている。従って、画像内容記憶部８４には、図１９に示すように、ファイル番号００１〜０２０の画像データファイルに係る画像に含まれる被写体割合が記憶されている。図１９では、各ファイル番号の画像データファイルに係る画像の被写体割合が、○印が記載されている欄の被写体割合であることを示している。
【００７５】
この例では、ファイル番号００１〜０２０の２０個の画像には、優先順位が最も上の「８０％以上」の被写体割合の画像が含まれているので、抽出部８５では、「８０％以上」の被写体割合の画像の画像データファイルが、ファイル番号００１〜０２０の２０個の画像データファイルの中から抽出される。つまり、ファイル番号００１、００２、００６、０１０、０１２、０１７、０１８の７個の画像データファイルが抽出される。従って、図２０（ａ）に示すように、これらの７個の画像をサムネイル画像とする「プリント枚数設定画面」が表示される。
【００７６】
次に、優先順位が２番目の「６０％〜８０％」の被写体割合の画像が含まれているので、抽出部８５では、「６０％〜８０％」の被写体割合の画像の画像データファイルが、ファイル番号００１〜０２０の２０個の画像データファイルから「８０％以上」の被写体割合の画像の画像データファイルを除いた画像データファイルの中から抽出される。つまり、抽出部８５では、ファイル番号００３、００８、０１４、０１９、０２０の５個の画像データファイルが抽出される。従って、「８０％以上」の被写体割合の画像を含む「プリント枚数設定画面」におけるプリント枚数の設定が完了し、次へボタン５０が操作されると、図２０（ｂ）に示すように、これらの５個の画像をサムネイル画像とする「プリント枚数設定画面」が表示される。
【００７７】
次に、優先順位が３番目の「４０％〜６０％」の被写体割合の画像が含まれているので、抽出部８５では、「４０％〜６０％」の被写体割合の画像の画像データファイルが、ファイル番号００１〜０２０の２０個の画像データファイルから「８０％以上」及び「６０％〜８０％」の被写体割合の画像の画像データファイルを除いた画像データファイルの中から抽出される。つまり、抽出部８５では、ファイル番号００７、０１５、０１６の３個の画像データファイルが抽出される。従って、「６０％〜８０％」の被写体割合の画像を含む「プリント枚数設定画面」におけるプリント枚数の設定が完了し、次へボタン５０が操作されると、図２０（ｃ）に示すように、これらの３個の画像をサムネイル画像とする「プリント枚数設定画面」が表示される。
【００７８】
そして、上述と同様に、図２０（ｄ）に示すように、優先順位が４番目の「２０％〜４０％」の被写体割合の画像をサムネイル画像とする「プリント枚数設定画面」が表示され、その後、図２０（ｅ）に示すように、優先順位が５番目の「０％〜２０％」の被写体割合の画像をサムネイル画像とする「プリント枚数設定画面」が順に表示される。
【００７９】
次に、「表示順序選択画面」で優先順（手動）が選択された場合の「プリント枚数設定画面」の表示手順について、図２１〜図２４を参照しつつ具体例に基づいて説明する。図２１は、「表示順序選択画面」で優先順（手動）が選択された場合の「プリント枚数設定画面」の表示手順を示すフローチャートである。図２２は、受付装置のディスプレイに表示される表示画面の一例を示す図である。図２３は、変更後の画像情報記憶部に記憶された複数の画像情報及びそれらの順序を模式的に示す図である。図２４は、受付装置のディスプレイに表示される「プリント枚数設定画面」の表示手順を示す図である。
【００８０】
まず、受付装置Ｒのディスプレイ２３に「表示順序選択画面」が表示されている（ステップＳ２０１）。ここで、顧客は、画像情報の優先順位を手動で変更するために、優先順（手動）に対応した順序指定スイッチ部５２を操作する（ステップＳ２０２）。すると、受付装置Ｒのディスプレイ２３に「画像情報変更画面」（図２２参照）が表示される（ステップＳ２０３）。
【００８１】
ここで、「画像情報変更画面」が表示された状態で、顧客により入力部６０が操作されることによって、複数の画像情報が指定される（ステップＳ２０４）。そして、画像情報が指定された後で、ＯＫボタン５０が操作されると、画像情報記憶部８１に記憶された画像情報及びそれらの順序が変更される（ステップＳ２０５）。
【００８２】
その後、優先順位を示す定数ｍが１に設定され（ステップＳ２０６）、優先順位が１番目の画像情報に適合した画像があるか否かが判断される（ステップＳ２０７）。ここで、優先順位が１番目の画像情報に適合した画像があると判断された場合には（Ｓ２０７：ＹＥＳ）、画像データ記憶部８２に記憶された画像データファイルの中から、優先順位が１番目の画像情報に適合した画像の画像データファイルが抽出される（ステップＳ２０８）。そして、優先順位が１番目の画像情報に適合した画像をサムネイル画像とする「プリント枚数設定画面」が表示される（ステップＳ２０９）。
【００８３】
その後、優先順位が１番目の画像情報に適合した画像が含まれる「プリント枚数設定画面」が表示された状態で、プリント枚数の設定が完了すると（ステップＳ２１０）、優先順位が１番目の画像情報が最後の画像情報であるか否か（それよりも優先順位が下の画像情報があるか否か）が判断される（ステップＳ２１１）。ここで、優先順位が１番目の画像情報が最後の画像情報でないと判断された場合には（Ｓ２１１：ＮＯ）、定数ｍが２に変更され（ステップＳ２１２）、ステップＳ２０７に戻り、上述と同様の処理が繰り返される。
【００８４】
これと同様の処理が、優先順位が最も下の画像情報まで繰り返され、優先順位がｍ番目の画像情報が最後の画像情報であると判断された場合には（Ｓ２１１：ＹＥＳ）、プリント枚数の設定が完了するので、「注文内容確認画面」が表示される（ステップＳ２１３）。
【００８５】
本実施の例では、「画像情報変更画面」には、図２２に示すように、「被写体割合を指定してください」とのメッセージと共に、画像情報を指定するための複数のボタンを含む入力部６０と、指定した被写体割合の画像以外の画像を表示するか否かを設定するための設定部６１とが表示される。図２２では、「６０％〜８０％」及び「４０％〜６０％」の２個の被写体割合が、その順に指定された場合であり、設定部６１では、その他の画像の画像の表示が「あり」に設定されている場合（「あり」が太線で囲まれて選択されている）が図示されている。
【００８６】
従って、画像情報記憶部８１に記憶された複数の被写体割合に関する情報及びそれらの順序が、図２３に示すように変更される。つまり、優先順位が最も上の被写体割合が「６０％〜８０％」であり、２番目が「４０％〜６０％」であり、３番目が「８０％以上」であり、４番目が「２０％〜４０％」であり、５番目が「０％〜２０％」である。このように、指定された「６０％〜８０％」及び「４０％〜６０％」の被写体割合がその他の被写体割合より優先される。
【００８７】
従って、画像内容記憶部８４が、図１９に示すように、ファイル番号００１〜０２０の画像データファイルに係る画像に含まれる被写体割合を記憶している場合には、図２４（ａ）に示すように、「６０％〜８０％」の被写体割合の画像をサムネイル画像とする「プリント枚数設定画面」が表示され、その後、図２４（ｂ）〜図２４（ｅ）に示すように、「４０％〜６０％」、「８０％以上」、「２０％〜４０％」、「０％〜２０％」の被写体割合の画像をサムネイル画像とする「プリント枚数設定画面」が、この順序にしたがって表示される。
【００８８】
このように、被写体割合毎に、その被写体を含む画像をサムネイル画像とする「プリント枚数設定画面」が表示されるので、顧客は各画像のプリント枚数を短時間で設定することができる。また、この例では、ファイル番号００１〜０２０の２０個の全ての画像をサムネイル画像とする「プリント枚数設定画面」が表示される。
【００８９】
以上説明したように、本実施の形態の受付装置Ｒでは、メディアドライブ２４によって読み出された複数の画像データファイルの中から、「画像情報変更画面」で変更された後に画像情報記憶部８１によって記憶された複数の被写体割合の画像に係る画像データファイルが抽出される。そして、各被写体割合の画像を含む「プリント枚数設定画面」が、「画像情報変更画面」で変更された後に画像情報記憶部８１によって記憶された複数の被写体割合の順序にしたがってディスプレイ２３に表示される。そのため、顧客は、画像情報記憶部８１によって記憶された複数の画像情報及びそれらの順序を変更することによって、優先順位の高い画像情報に適合した画像から優先順位の低い画像情報に適合した画像の順に、注文情報を入力することができる。従って、顧客は、各画像情報に適合した画像データファイルに係る画像を含む「プリント枚数設定画面」に対するプリント枚数の設定を短時間で行うことができる。そのため、プリント注文の受付に要する時間を短縮することができ、一人の顧客が受付装置を占有する時間が短くなる。また、受付装置の時間効率を向上させることができる。
【００９０】
また、画像認識部８３では、メディアドライブ２４によって読み出された複数の画像データファイルに対して画像認識処理が行われ、画像データファイルに係る画像の内容が認識される。そして、各画像情報に適合した画像データファイルが、画像認識処理の結果を用いて抽出されるので、適正な画像データファイルを確実に抽出することができる。
【００９１】
なお、本実施の形態において、各画像情報に適合した画像に係る画像データファイルが抽出された後において、画像情報毎に異なるメディアＭに保存すれば、画像データファイルの整理に有効である。
【００９２】
次に、本発明の第２の実施の形態に係る受付装置Ｒについて、図２５〜図２９を参照して説明する。図２５は、画像情報記憶部に記憶された複数の画像情報及びそれらの順序を模式的に示す図である。図２６は、受付装置のディスプレイに表示される表示画面の一例を示す図である。図２７は、変更後に画像情報記憶部に記憶された複数の画像情報及びそれらの順序を模式的に示す図である。図２８は、複数の画像に含まれる被写体の種類を示す図である。図２９は、受付装置のディスプレイに表示される「プリント枚数設定画面」の表示手順を示す図である。
【００９３】
第２の実施の形態の受付装置Ｒが、第１の実施の形態の受付装置Ｒと異なる点は、第１の実施の形態の受付装置Ｒでは、画像情報記憶部８１には画像情報として被写体割合が記憶されており、「画像情報変更画面」で画像情報が指定されているが、第２の実施の形態の受付装置Ｒでは、画像情報記憶部８１には画像情報として被写体の種類が記憶されており、「画像情報変更画面」で画像情報が追加される点である。なお、第２の実施の形態の受付装置Ｒのその他の構成は、第１の実施の形態の受付装置Ｒと同様であるので、同一符号を付けて詳細な説明は省略する。
【００９４】
本実施の形態では、画像情報記憶部８１には、画像に含まれる被写体の種類が記憶されている。ここで、被写体の種類としては、人、自動車、列車の順に３個の被写体の種類が記憶されている。
【００９５】
なお、画像情報記憶部８１に記憶されたディスプレイ２３に表示される画像の内容に関する複数の画像情報及びそれらの順序は、タッチパネル２２が操作されることによって変更される。つまり、タッチパネル２２が操作されることによって１つの画像情報（被写体の種類）が追加された場合には、その１つの画像情報（被写体の種類）がそれ以外の画像情報（被写体の種類）よりも優先される。また、タッチパネル２２が操作されることによって少なくとも２つの画像情報（被写体の種類）及びそれらの順序が指定された場合には、その指定された少なくとも２つの画像情報（被写体の種類）がそれ以外の画像情報（被写体の種類）よりも優先される。このとき、追加された少なくとも２つの画像情報（被写体の種類）に関しては、追加された順序で優先される。
【００９６】
本実施の形態では、画像認識部８３は、画像に含まれる被写体の種類を認識可能である。また、画像内容記憶部８４は、画像認識部８３で認識された各画像に含まれる被写体の種類を画像データファイル毎に記憶している。
【００９７】
抽出部８５は、画像データ記憶部８２に記憶された複数の画像データファイルの中から、画像内容記憶部８４に記憶された画像データファイル毎の画像の内容に基づいて、画像情報記憶部８１に記憶された各画像情報に適合した画像データファイルを抽出する。つまり、本実施の形態では、例えば被写体の種類の１つである「人」に適合した画像データファイルとは、画像認識部８３で、被写体として「人」が含まれる画像と認識された画像に係る画像データファイルを意味する。
【００９８】
制御部８６は、いくつかの画像情報が追加された場合には、追加された画像情報に基づいて抽出された画像データファイルに係る画像を含む複数の「プリント枚数設定画面」を表示した後で、その画像情報以外の画像情報に基づいて抽出された画像データファイルに係る画像を含む複数の「プリント枚数設定画面」を表示することが可能であると共に、追加された画像情報に基づいて抽出された画像データファイルに係る画像を含む複数の「プリント枚数設定画面」だけを表示することも可能である。
【００９９】
本実施の例では、画像情報記憶部８１には、図２５に示すように、複数の被写体の種類に関する情報及びそれらの順序が記憶されている。つまり、優先順位が最も上の被写体の種類が「人」であり、２番目が「自動車」であり、３番目が「列車」である。
【０１００】
また、画像認識部８３では、メディアドライブ２４により２０個の画像データファイルに対する画像認識処理が行われ、その画像認識結果に基づいて、画像内容記憶部８４には、各画像データファイルに係る画像に含まれる被写体の種類が記憶されている。従って、画像内容記憶部８４には、図２６に示すように、ファイル番号００１〜０２０の画像データファイルに係る画像に含まれる被写体の種類が記憶されている。図２０では、各ファイル番号の画像データファイルに係る画像に、各被写体が含まれるか否かを示しており、○印が記載されている場合には、その被写体が含まれていることを示している。
【０１０１】
本実施の例では、「画像情報変更画面」には、図２７に示すように、「被写体の種類を追加してください」とのメッセージと共に、画像情報を追加するための複数のボタンを含む入力部６０と、追加した被写体割合の画像以外の画像を表示するか否かを設定するための設定部６１とが表示される。図２７では、「ビル」の１個の被写体の種類が追加された場合であり、設定部６１では、「あり」が太線で囲まれて選択された状態が図示されている。
【０１０２】
従って、画像情報記憶部８１に記憶された複数の被写体の種類に関する情報及びそれらの順序が、図２８に示すように変更される。つまり、優先順位が最も上の被写体の種類が「ビル」であり、２番目が「人」であり、３番目が「自動車」であり、４番目が「列車」である。このように、追加された「ビル」の被写体の種類がその他の被写体の種類より優先される。
【０１０３】
この例では、ファイル番号００１〜０２０の２０個の画像には、優先順位が最も上の被写体の種類である「ビル」を含んだ画像が含まれているので、抽出部８５では、「ビル」を含んだ画像の画像データファイルが、ファイル番号００１〜０２０の２０個の画像データファイルの中から抽出される。つまり、抽出部８５では、ファイル番号００１、００３、００４、００６、０１０、０１２の６個の画像データファイルが抽出される。従って、図２９（ａ）に示すように、これらの６個の画像をサムネイル画像とする「プリント枚数設定画面」が表示される。
【０１０４】
次に、優先順位が２番目の被写体の種類である「人」を含んだ画像が含まれているので、抽出部８５では、「人」を含んだ画像の画像データファイルが、ファイル番号００１〜０２０の２０個の画像データファイルから「ビル」を含んだ画像の画像データファイルを除いた画像データファイルの中から抽出される。つまり、抽出部８５では、ファイル番号００２、００５、０１１、０１７、０１８の５個の画像データファイルが抽出される。従って、「ビル」を含んだ画像を含む「プリント枚数設定画面」におけるプリント枚数の設定が完了し、次へボタン５０が操作されると、図２９（ｂ）に示すように、これらの５個の画像をサムネイル画像とする「プリント枚数設定画面」が表示される。
【０１０５】
次に、優先順位が３番目の被写体の種類である「自動車」を含んだ画像が含まれているので、抽出部８５では、「自動車」を含んだ画像の画像データファイルが、ファイル番号００１〜０２０の２０個の画像データファイルから「ビル」または「人」を含んだ画像の画像データファイルを除いた画像データファイルの中から抽出される。つまり、抽出部８５では、ファイル番号００８、００９、０１４の３個の画像データファイルが抽出される。従って、「人」を含んだ画像を含む「プリント枚数設定画面」におけるプリント枚数の設定が完了し、次へボタン５０が操作されると、図２９（ｃ）に示すように、これらの３個の画像をサムネイル画像とする「プリント枚数設定画面」が表示される。
【０１０６】
次に、優先順位が４番目の被写体の種類である「列車」を含んだ画像が含まれているので、抽出部８５では、「列車」を含んだ画像の画像データファイルが、ファイル番号００１〜０２０の２０個の画像データファイルから「ビル」、「人」または「自動車」を含んだ画像の画像データファイルを除いた画像データファイルの中から抽出される。つまり、抽出部８５では、ファイル番号０１５、０１６、０１９、０２０の４個の画像データファイルが抽出される。従って、「自動車」を含んだ画像を含む「プリント枚数設定画面」におけるプリント枚数の設定が完了し、次へボタン５０が操作されると、図２９（ｄ）に示すように、これらの４個の画像をサムネイル画像とする「プリント枚数設定画面」が表示される。
【０１０７】
このように、被写体の種類毎に、その被写体を含む画像をサムネイル画像とする「プリント枚数設定画面」が表示されるので、顧客は各画像のプリント枚数を短時間で設定することができる。また、この例では、ファイル番号００７、０１３の２個の画像には、「ビル」、「人」、「自動車」、「列車」の被写体は含まれていないので、その画像はサムネイル画像とする「プリント枚数設定画面」は表示されない。
【０１０８】
以上説明したように、本実施の形態の受付装置Ｒでは、第１の実施の形態と同様の効果を得ることができる。
【０１０９】
次に、本発明の第３の実施の形態に係る受付装置Ｒについて、図３０を参照して説明する。図３０は、受付装置のコントローラの構成を示すブロック図である。
【０１１０】
第３の実施の形態の受付装置Ｒが、第１の実施の形態の受付装置Ｒと異なる点は、第１の実施の形態の受付装置Ｒでは、画像認識処理の結果を用いて各画像情報に適合した画像データファイルが抽出されているが、第３の実施の形態の受付装置Ｒでは、画像データファイルから取得した画像の内容に関するパラメータを用いて各画像情報に適合した画像データファイルが抽出される点である。なお、第３の実施の形態の受付装置Ｒのその他の構成は、第１の実施の形態の受付装置Ｒと同様であるので、同一符号を付けて詳細な説明は省略する。
【０１１１】
コントローラ１２６には、画像情報記憶部１８１と、画像データ記憶部８２と、パラメータ取得部１８３と、画像内容記憶部１８４と、抽出部１８５と、制御部８６とが形成されている。
【０１１２】
画像情報記憶部１８１は、ディスプレイ２３に表示される画像の内容に関する複数の画像情報及びそれらの順序を記憶する。本実施の形態では、画像情報記憶部１８１には、画像情報として、画像の撮影条件の１つであるストロボ発光の有無に関する情報及びそれらの順序が記憶されている。つまり、優先順位が最も上の撮影条件が「ストロボ発光の有り」であり、２番目が「ストロボ発光の無し」である。
【０１１３】
パラメータ取得部１８３は、メディアドライブ２４によって読み出された画像データファイルに係る画像の内容に関するパラメータを記録媒体又は画像データファイルから取得する。例えばEXIF形式（Exchangeable Image File Format）で画像が記録されている場合、各画像の内容に関するパラメータは、各画像データファイル内にタグ情報として記録されているので、パラメータ取得部１８３は、画像データファイルから画像の内容に関するパラメータを取得する。一方、例えばDPOF形式（Digital Print Order Format）で画像が記録されている場合、各画像の内容に関するパラメータは、画像データファイルとは別のファイル内に記憶されているので、パラメータ取得部１８３は、記録媒体から画像の内容に関するパラメータを取得する。
【０１１４】
本実施の形態では、各画像の内容に関するパラメータとして、撮影条件の１つであるストロボ発光の有無に関するパラメータが、EXIF形式の場合はタグ情報として各画像データファイル内に、またDPOF形式の場合は各画像データと対応するように記録媒体内に記録されているものとする。
【０１１５】
画像内容記憶部１８４は、画像データ記憶部８２に記憶された画像データファイルに係る画像の内容を画像データファイル毎に記憶する。本実施の形態では、画像内容記憶部１８４は、画像データファイル毎に、ストロボ発光の有無に関するパラメータを記憶している。
【０１１６】
抽出部１８５は、画像データ記憶部８２に記憶された複数の画像データファイルの中から、パラメータ取得部１８３が取得したパラメータに基づいて、画像情報記憶部１８１に記憶された各画像情報に適合した画像データファイルを抽出する。ここで、抽出部１８５は、各画像情報に適合した画像データファイルを抽出する場合には、画像データ記憶部８２に記憶された複数の画像データファイルから、その画像情報よりも優先順位が上の画像情報に適合した画像データファイルを除いた画像データファイルの中から抽出する。
【０１１７】
次に、「表示順序選択画面」で優先順（自動）が選択された場合の「プリント枚数設定画面」の表示手順について説明する。この場合には、抽出部１８５では、メディアドライブ２４によって読み出された画像データファイルの中から、優先順位が最も上の「ストロボ発光の有り」の撮影条件の画像の画像データファイルが抽出される。そして、それらの画像をサムネイル画像とする「プリント枚数設定画面」が表示される。その後、抽出部１８５では、メディアドライブ２４によって読み出された画像データファイルから「ストロボ発光の有り」の撮影条件の画像の画像データファイルを除いた画像データファイルの中から、優先順位が２番目の「ストロボ発光の無し」の撮影条件の画像の画像データファイルが抽出される。そして、それらの画像をサムネイル画像とする「プリント枚数設定画面」が表示される。
【０１１８】
また、「表示順序選択画面」で優先順（手動）が選択された場合の「プリント枚数設定画面」の表示手順について説明する。ここでは、「ストロボ発光の無し」の撮影条件を示す１つの画像情報が指定され、その他の画像の表示が「なし」に設定されている場合を説明する。この場合には、抽出部１８５では、メディアドライブ２４によって読み出された画像データファイルの中から、優先順位が最も上の「ストロボ発光の無し」の撮影条件の画像の画像データファイルが抽出される。そして、それらの画像をサムネイル画像とする「プリント枚数設定画面」だけが表示される。この場合、「ストロボ発光の有り」の撮影条件の画像をサムネイル画像とする「プリント枚数設定画面」は表示されない。
【０１１９】
このように、撮影条件毎に、その撮影条件に対応した画像をサムネイル画像とする「プリント枚数設定画面」が表示されるので、顧客は各画像のプリント枚数を短時間で設定することができる。
【０１２０】
以上説明したように、本実施の形態の受付装置Ｒでは、第１の実施の形態と同様の効果を得ることができる。また、メディアドライブ２４によって読み出された複数の画像データファイルに係る画像の内容に関するパラメータがメディアＭ又は画像データファイルから取得される。そして、各画像情報に適合した画像データファイルがその画像の内容に関するパラメータを用いて抽出されるので、適正な画像データファイルを容易に抽出することができる。
【０１２１】
以上、本発明の好適な実施の形態について説明したが、本発明は上述の実施の形態に限られるものではなく、特許請求の範囲に記載した限りにおいて様々な設計変更が可能なものである。例えば、上述の第１〜第３の実施の形態では、１または複数の画像情報が指定または追加されることによって、画像情報記憶部に記憶された画像情報及びそれらの順序が変更されているが、その他の方法によって、画像情報記憶部に記憶された画像情報及びそれらの順序が変更されてもよい。
【０１２２】
また、第１及び第２の実施の形態において、画像情報としては、被写体の種類に関する情報または被写体割合に関する情報に限られず、その他の画像情報であってもよい。従って、例えば、画像認識部において、各画像に被写体として含まれる人が認識され、撮影されている頻度が多い人を含む画像から優先的に表示してもよい。また、第３の実施の形態において、画像情報としては、撮影条件に関するタグ情報に限られず、その他の画像情報に関するタグ情報が用いられてもよい。
【０１２３】
また、第１の実施の形態では、２個の画像情報及びそれらの順序が指定され、指定された画像情報に適合した画像を含む注文画面が指定された画像情報の順序にしたがって表示された後で、指定された画像情報以外の画像情報に適合した画像を含む注文画面が画像情報記憶部に記憶された複数の画像情報の順序にしたがって表示されているが、１個の画像情報だけが指定され、指定された画像情報に適合した画像を含む注文画面が表示された後で、指定された画像情報以外の画像情報に適合した画像を含む注文画面が画像情報記憶部に記憶された複数の画像情報の順序にしたがって表示されてもよい。また、２個の画像情報及びそれらの順序が指定され、指定された画像情報に適合した画像を含む注文画面が指定された画像情報の順序にしたがって表示され、指定された画像情報以外の画像情報に適合した画像を含む注文画面が表示されなくてもよいし、２個の画像情報が指定され且つそれらの順序が指定されずに、指定された画像情報に適合した画像を含む注文画面が画像情報記憶部に記憶された複数の画像情報の順序にしたがって表示され、指定された画像情報以外の画像情報に適合した画像を含む注文画面が表示されなくてもよい。
【０１２４】
また、第２の実施の形態では、１個の画像情報だけが追加され、追加された画像情報に適合した画像を含む注文画面が表示された後で、追加された画像情報以外の画像情報に適合した画像を含む注文画面が画像情報記憶部に記憶された複数の画像情報の順序にしたがって表示されているが、２個の画像情報及びそれらの順序が追加され、追加された画像情報に適合した画像を含む注文画面が追加された画像情報の順序にしたがって表示された後で、追加された画像情報以外の画像情報に適合した画像を含む注文画面が画像情報記憶部に記憶された複数の画像情報の順序にしたがって表示されてもよい。また、２個の画像情報及びそれらの順序が追加され、追加された画像情報に適合した画像を含む注文画面が追加された画像情報の順序にしたがって表示され、追加された画像情報以外の画像情報に適合した画像を含む注文画面が表示されなくてもよい。
【０１２５】
また、上述の第１及び第２の実施の形態では、各画像情報に適合した画像データファイルが画像認識処理の結果を用いて抽出されると共に、上述の第３の実施の形態では、各画像情報に適合した画像データファイルがその画像の内容に関するパラメータを用いて抽出されているが、各画像情報に適合した画像データファイルがその他の方法を用いて抽出されてもよい。
【図面の簡単な説明】
【０１２６】
【図１】本発明の第１の実施の形態に係るプリント注文受付装置を含むデジタル画像処理システムの外観斜視図である。
【図２】図１に示すデジタル画像処理システムの構成を示す図である。
【図３】図１に示す受付装置の構成を示す図である。
【図４】受付装置のコントローラの構成を示すブロック図である。
【図５】受付装置におけるプリント注文の受付の手順を示すフローチャートである。
【図６】注文受付の際に受付装置のディスプレイに表示される表示画面の一例を示す図である。
【図７】注文受付の際に受付装置のディスプレイに表示される表示画面の一例を示す図である。
【図８】注文受付の際に受付装置のディスプレイに表示される表示画面の一例を示す図である。
【図９】注文受付の際に受付装置のディスプレイに表示される表示画面の一例を示す図である。
【図１０】注文受付の際に受付装置のディスプレイに表示される表示画面の一例を示す図である。
【図１１】注文受付の際に受付装置のディスプレイに表示される表示画面の一例を示す図である。
【図１２】注文受付の際に受付装置のディスプレイに表示される表示画面の一例を示す図である。
【図１３】注文受付の際に受付装置のディスプレイに表示される表示画面の一例を示す図である。
【図１４】注文受付の際に受付装置のディスプレイに表示される表示画面の一例を示す図である。
【図１５】注文受付の際に受付装置のディスプレイに表示される表示画面の一例を示す図である。
【図１６】受付証の一例を示す図である。
【図１７】「表示順序選択画面」で優先順（自動）が選択された場合の「プリント枚数設定画面」の表示手順を示すフローチャートである。
【図１８】画像情報記憶部に記憶された複数の画像情報及びそれらの順序を模式的に示す図である。
【図１９】複数の画像の被写体割合を示す図である。
【図２０】受付装置のディスプレイに「プリント枚数設定画面」の表示手順を示す図である。
【図２１】「表示順序選択画面」で優先順（手動）が選択された場合の「プリント枚数設定画面」の表示手順を示すフローチャートである。
【図２２】受付装置のディスプレイに表示される表示画面の一例を示す図である。
【図２３】変更後の画像情報記憶部に記憶された複数の画像情報及びそれらの順序を模式的に示す図である。
【図２４】受付装置のディスプレイに表示される「プリント枚数設定画面」の表示手順を示す図である。
【図２５】本発明の第２の実施の形態に係る受付装置の画像情報記憶部に記憶された複数の画像情報及びそれらの順序を模式的に示す図である。
【図２６】受付装置のディスプレイに表示される表示画面の一例を示す図である。
【図２７】変更後に画像情報記憶部に記憶された複数の画像情報及びそれらの順序を模式的に示す図である。
【図２８】複数の画像に含まれる被写体の種類を示す図である。
【図２９】受付装置のディスプレイに表示される「プリント枚数設定画面」の表示手順を示す図である。
【図３０】本発明の第３の実施の形態に係る受付装置のコントローラの構成を示すブロック図である。
【符号の説明】
【０１２７】
Ｒ  プリント注文受付装置
Ｐ  写真処理装置
２２  タッチパネル（変更手段；指定手段；追加手段）
２３  ディスプレイ
２４  メディアドライブ（読み出し部）
８１、１８１  画像情報記憶部（画像情報記憶手段）
８２  画像データ記憶部
８３  画像認識部（画像認識手段）
８４、１８４  画像内容記憶部
８５、１８５  抽出部（抽出手段）
８６  制御部（注文画面表示制御手段）
１８３  パラメータ取得部（パラメータ取得手段）
【図１】
2006301833.tif 000003
【図２】
2006301833.tif 000004
【図３】
2006301833.tif 000005
【図４】
2006301833.tif 000006
【図５】
2006301833.tif 000007
【図６】
2006301833.tif 000008
【図７】
2006301833.tif 000009
【図８】
2006301833.tif 000010
【図９】
2006301833.tif 000011
【図１０】
2006301833.tif 000012
【図１１】
2006301833.tif 000013
【図１２】
2006301833.tif 000014
【図１３】
2006301833.tif 000015
【図１４】
2006301833.tif 000016
【図１５】
2006301833.tif 000017
【図１６】
2006301833.tif 000018
【図１７】
2006301833.tif 000019
【図１８】
2006301833.tif 000020
【図１９】
2006301833.tif 000021
【図２０】
2006301833.tif 000022
【図２１】
2006301833.tif 000023
【図２２】
2006301833.tif 000024
【図２３】
2006301833.tif 000025
【図２４】
2006301833.tif 000026
【図２５】
2006301833.tif 000027
【図２６】
2006301833.tif 000028
【図２７】
2006301833.tif 000029
【図２８】
2006301833.tif 000030
【図２９】
2006301833.tif 000031
【図３０】
2006301833.tif 000032